(57)【特許請求の範囲】
【請求項１】
ネットワーク経由でユーザ端末にコンテンツを提供するコンテンツ提供システムであって、
上記ネットワークに接続され、コンテンツを提供するコンテンツ提供サーバと、
上記ネットワークに接続され、上記ユーザ端末と上記コンテンツ提供サーバとの間の送受信を中継するＳＩＰプロキシサーバと、
上記ネットワークに接続され、上記ＳＩＰプロキシサーバから送信される上記ユーザ端末と上記コンテンツ提供サーバとの間の送受信の監視情報を蓄積する監視サーバとを備え、
上記監視情報は、上記ユーザ端末から上記コンテンツ提供サーバに送信されるＳＩＰメソッドに対して上記コンテンツ提供サーバから上記ユーザ端末に送信されるＳＩＰレスポンスの情報であり、
上記監視サーバは、
上記ＳＩＰプロキシサーバから送信される、上記ユーザ端末と上記コンテンツ提供サーバとの間の送受信の監視情報を受信する監視情報受信部と、
上記監視情報受信部で受信された監視情報を記憶する監視情報記憶部と、
上記監視情報記憶部に記憶されている上記ＳＩＰレスポンスの情報に基づいて上記ＳＩＰメソッドに対する成功数およびエラー数をそれぞれカウントし、該カウント結果から一定時間毎の上記コンテンツ提供サーバの利用者を算出する監視情報処理部と、
上記監視情報処理部の処理結果を、上記ネットワークを介して上記コンテンツ提供サーバの管理者に通知する監視情報通知部とを有する
コンテンツ提供システム。
【請求項２】
コンテンツを提供するコンテンツ提供サーバと、ユーザ端末および上記コンテンツ提供サーバの間の送受信を中継するＳＩＰプロキシサーバとが接続されているネットワークに接続されて使用される監視サーバであって、
上記ＳＩＰプロキシサーバから送信される、上記ユーザ端末と上記コンテンツ提供サーバとの間の送受信の監視情報を受信する監視情報受信部と、
上記監視情報受信部で受信された監視情報を記憶する監視情報記憶部とを備え、
上記監視情報は、上記ユーザ端末から上記コンテンツ提供サーバに送信されるＳＩＰメソッドに対して上記コンテンツ提供サーバから上記ユーザ端末に送信されるＳＩＰレスポンスの情報であり、
上記監視情報記憶部に記憶されている上記ＳＩＰレスポンスの情報に基づいて上記ＳＩＰメソッドに対する成功数およびエラー数をそれぞれカウントし、該カウント結果から一定時間毎の上記コンテンツ提供サーバの利用者を算出する監視情報処理部と、
上記監視情報処理部の処理結果を、上記ネットワークを介して上記コンテンツ提供サーバの管理者に通知する監視情報通知部とをさらに備える
監視サーバ。
【発明の詳細な説明】
【技術分野】
【０００１】
この発明は、コンテンツ提供システムおよび監視サーバに関する。
【背景技術】
【０００２】
近年、従来の回線交換式の電話回線網をＩＰ（Internet Protocol）技術をベースにしたネットワークに置き換える、次世代ネットワーク（ＮＧＮ：Next Generation Network）の構築に向けた動きが活発化している。ＮＧＮは、ネットワーク自体に帯域補償機能、セキュリティ機能を備え、セッション開始プロトコル（ＳＩＰ：Session Initiation Protocol）を用いてセッション制御を行う。
【０００３】
このようなＮＧＮにおいては、ユーザ端末は、コンテンツ提供サーバから、映像や音楽等のコンテンツの提供を受けることが可能となる。この場合、コンテンツ提供サーバにどの程度のユーザ端末が接続してくるか、また、その際に必要なネットワーク帯域やサーバリソースを見極めるのは非常に困難である。
【０００４】
例えば、特許文献１、特許文献２、特許文献３には、コンテンツ提供サーバからインターネット等のネットワークを介して映像や音楽等のコンテンツをユーザ端末に提供するコンテンツ提供システムが記載されている。
【特許文献１】特開２００４−１１０２７７号公報
【特許文献２】特開２００５−３２７１５５号公報
【特許文献３】特開２００４−７２２８号公報
【発明の開示】
【発明が解決しようとする課題】
【０００５】
上述したように、ユーザ端末がコンテンツ提供サーバに接続してコンテンツの提供を受けるコンテンツ提供システムにあっては、コンテンツ提供サーバ側に必要なネットワーク帯域、あるいはサーバリソースを見極めることが難しいという問題がある。
【０００６】
この発明の目的は、コンテンツ提供サーバの管理者がコンテンツ提供サーバ側に必要なネットワーク帯域、あるいはサーバリソースを求めるための情報を容易に取得可能とすることにある。
【課題を解決するための手段】
【０００７】
この発明の概念は、
ネットワーク経由でユーザ端末にコンテンツを提供するコンテンツ提供システムであって、
上記ネットワークに接続され、コンテンツを提供するコンテンツ提供サーバと、
上記ネットワークに接続され、上記ユーザ端末と上記コンテンツ提供サーバとの間の送受信を中継するＳＩＰプロキシサーバと、
上記ネットワークに接続され、上記ＳＩＰプロキシサーバから送信される上記ユーザ端末と上記コンテンツ提供サーバとの間の送受信の監視情報を蓄積する監視サーバとを備え、
上記監視情報は、上記ユーザ端末から上記コンテンツ提供サーバに送信されるＳＩＰメソッドに対して上記コンテンツ提供サーバから上記ユーザ端末に送信されるＳＩＰレスポンスの情報であり、
上記監視サーバは、
上記ＳＩＰプロキシサーバから送信される、上記ユーザ端末と上記コンテンツ提供サーバとの間の送受信の監視情報を受信する監視情報受信部と、
上記監視情報受信部で受信された監視情報を記憶する監視情報記憶部と、
上記監視情報記憶部に記憶されている上記ＳＩＰレスポンスの情報に基づいて上記ＳＩＰメソッドに対する成功数およびエラー数をそれぞれカウントし、該カウント結果から一定時間毎の上記コンテンツ提供サーバの利用者を算出する監視情報処理部と、
上記監視情報処理部の処理結果を、上記ネットワークを介して上記コンテンツ提供サーバの管理者に通知する監視情報通知部とを有する
コンテンツ提供システムにある。
【０００８】
この発明において、ＳＩＰプロキシサーバから監視サーバに、ユーザ端末とコンテンツ提供サーバとの間の送受信の監視情報が送信される。そして、監視サーバでは、ＳＩＰプロキシサーバから送られてくる上述の監視情報が受信されて記憶される。例えば、監視情報は、ユーザ端末からコンテンツ提供サーバに送信されるＳＩＰメソッドに対してコンテンツ提供サーバからユーザ端末に送信されるＳＩＰレスポンスの情報とされる。そして、監視サーバではＳＩＰレスポンスの情報に基づいてＳＩＰメソッドに対する成功数およびエラー数がそれぞれカウントされ、そのカウント結果から一定時間毎のコンテンツ提供サーバの利用者が算出され、その結果がネットワークを介してコンテンツ提供サーバの管理者に通知される。

【０００９】
このように、ユーザ端末とコンテンツ提供サーバとの間の送受信の監視情報がＳＩＰプロキシサーバから監視サーバに送られ、ＳＩＰメソッドに対する成功数およびエラー数のカウント結果から一定時間毎のコンテンツ提供サーバの利用者が算出されて、その結果がコンテンツ提供サーバの管理者に通知される。従って、コンテンツ提供サーバの管理者は、監視サーバから、コンテンツ提供サーバ側に必要なネットワーク帯域、あるいはサーバリソースを求めるための情報を容易に取得できる。
【発明の効果】
【００１０】
この発明によれば、コンテンツ提供サーバの管理者は、コンテンツ提供サーバ側に必要なネットワーク帯域、あるいはサーバリソースを求めるための情報を容易に取得できる。
【発明を実施するための最良の形態】
【００１１】
以下、図面を参照しながら、この発明の実施の形態について説明する。
【００１２】
図１には、実施の形態としてのコンテンツ提供システム１００の構成例を示している。このコンテンツ提供システム１００は、ユーザ端末１１０と、コンテンツ提供サーバ１２０と、ＳＩＰプロキシサーバ１３０と、監視サーバ１４０とが、ＮＧＮ（次世代ネットワーク）１５０に接続された構成とされている。ＮＧＮ１５０は、ＳＩＰ(Session Initiation Protocol)を用いてセッション制御を行う通信網である。
【００１３】
このコンテンツ提供システム１００において、ユーザ端末１１０、コンテンツ提供サーバ１２０および監視サーバ１４０は、ＳＩＰユーザエージェントクライアント（ＳＩＰＵＡＣ：SIP User Agent Client）として動作する。ＳＩＰ ＵＡＣは、ＳＩＰメソッド（リクエスト）を生成して送信し、ＳＩＰレスポンス（応答）を受信して処理する。
【００１４】
ユーザ端末１１０は、例えばパーソナルコンピュータ、ＳＴＢ（Set Top Box）等である。コンテンツ提供サーバ１２０は、映像、音楽等のコンテンツを提供する。監視サーバ１４０は、後述するように、ＳＩＰプロキシサーバ１３０から送られてくる、ユーザ端末１１０とコンテンツ提供サーバ１２０との間の送受信の監視情報を受信して蓄積する。
【００１５】
ここで、監視情報は、例えば、ユーザ端末１１０からコンテンツ提供サーバ１２０に送信される、ＩＮＶＩＴＥ（セッション開始リクエスト）、ＳＵＢＳＣＲＩＢＥ（イベント通知要請）等のＳＩＰメソッドと、それに対してコンテンツ提供サーバ１２０からユーザ端末１１０に送信される２ｘｘ（成功）、５ｘｘ（サーバエラー）、６ｘｘ（グローバルエラー）等のＳＩＰレスポンスの情報である。
【００１６】
この場合、ＳＩＰプロキシサーバ１３０から監視サーバ１４０に送信される監視情報は、例えば、以下の（ａ）〜（ｄ）の情報を含むようにされる。
【００１７】
（ａ）ＳＩＰメソッド種別：ＩＮＶＩＴＥ／ＳＵＢＳＣＲＩＢＥ
（ｂ）ＳＩＰレスポンス種別：２ｘｘ  ＯＫ／５ｘｘ  サーバエラー／６ｘｘ  グローバルエラー
（ｃ）ＳＩＰ ＵＲＩ
（ｄ）ＩＰアドレス
【００１８】
また、ＳＩＰプロキシサーバ１３０は、ＳＩＰユーザエージェントサーバ（ＳＩＰＵＡＳ：SIP User Agent Server）として動作する。ＳＩＰ ＵＡＳは、ＳＩＰ ＵＡＣから送信されるＳＩＰメソッドを受信して処理し、ＳＩＰレスポンスを生成して送信する。
【００１９】
ＳＩＰプロキシサーバ１３０は、ユーザ端末１１０とコンテンツ提供サーバ１２０との間の送受信を中継する。また、このＳＩＰプロキシサーバ１３０は、上述したように、ユーザ端末１１０とコンテンツ提供サーバ１２０との間の送受信の監視情報を監視サーバ１４０に送信する。
【００２０】
なお、図１に示すコンテンツ提供システム１００においては、説明を簡単にするために、ユーザ端末１１０、コンテンツ提供サーバ１２０をそれぞれ１個としているが、これらは複数個であってもよい。
【００２１】
図２は、ユーザ端末１１０、コンテンツ提供サーバ１２０、ＳＩＰプロキシサーバ１３０および監視サーバ１４０において、この発明に関係する部分の概略構成を示している。
【００２２】
ユーザ端末１１０は、上述したようにパーソナルコンピュータ、ＳＴＢ等であり、コンテンツ提供サーバ１２０から、映像、音楽等のコンテンツを取得する。このユーザ端末１１０は、端末登録部１１１と、接続制御部１１２とを有している。
【００２３】
端末登録部１１１は、ＳＩＰプロキシサーバ１３０に対し、ＲＥＧＩＳＴＥＲメソッドを用いて、自分の情報を登録する。登録する情報は、例えば、ユーザ端末１１０のＳＩＰＵＲＩ、ＩＰアドレス等である。接続制御部１１２は、コンテンツ提供サーバ１２０との通信を行うための機能部である。この接続制御部１１２は、例えば、セッションの確率時に、ＩＮＶＩＴＥメソッドを、ＳＩＰプロキシサーバ１３０を経由して、コンテンツ提供サーバ１２０に送信する。また、接続制御部１１２は、例えば、イベント通知要請時に、ＳＵＢＳＣＲＩＢＥメソッドを、ＳＩＰプロキシサーバ１３０を経由して、コンテンツ提供サーバ１２０に送信する。また、この接続制御部１１２は、コンテンツ提供サーバ１２０からＳＩＰプロキシサーバ１３０を経由して送信されてくる、ＩＮＶＩＴＥメソッド、ＳＵＢＳＣＲＩＢＥメソッド等に対応した、２ｘｘ（成功）、５ｘｘ（サーバエラー）、６ｘｘ（グローバルエラー）等のＳＩＰレスポンスを受信する。
【００２４】
コンテンツ提供サーバ１２０は、端末登録部１２１および接続制御部１２２を有している。端末登録部１２１は、ＳＩＰプロキシサーバ１３０に対し、ＲＥＧＩＳＴＥＲメソッドを用いて、自分の情報を登録する。登録する情報は、例えば、コンテンツ提供サーバ１２０のＳＩＰＵＲＩ、ＩＰアドレス等である。
接続制御部１２２は、ユーザ端末１１０との通信を行うための機能部である。この接続制御部１２２は、例えば、ユーザ端末１１０からＳＩＰプロキシサーバ１３０を経由して送信されてくるＩＮＶＩＴＥメソッドを受信する。また、この接続制御部１２２は、例えば、ユーザ端末１１０からＳＩＰプロキシサーバ１３０を経由して送信されてくるＳＵＢＳＣＲＩＢＥメソッドを受信する。また、この接続制御部１２２は、ＩＮＶＩＴＥメソッド、ＳＵＢＳＣＲＩＢＥメソッド等に対する２ｘｘ（成功）、５ｘｘ（サーバエラー）、６ｘｘ（グローバルエラー）等のＳＩＰレスポンスを、ＳＩＰプロキシサーバ１３０を経由して、ユーザ端末１１０に送信する。
【００２５】
ＳＩＰプロキシサーバ１３０は、登録認証部１３１およびパケット転送部１３２を有している。登録認証部１３１は、ＳＩＰ ＵＡＣ（ユーザ端末１１０、コンテンツ提供サーバ１２０、監視サーバ１４０）からのＲＥＧＩＳＴＥＲメソッドを受信し、登録要求を受け付ける。この登録認証部１３１は、ＲＥＧＩＳＴＥＲメソッドを受け取り、登録用のデータベース（図示せず）を更新する。このとき、ＲＥＧＩＳＴＥＲメソッドで指定されている送信元の情報、例えば、ＳＩＰＵＲＩとＩＰアドレスとが、各ＳＩＰ ＵＡＣのアドレスとしてデータベースに登録される。これにより各ＳＩＰ ＵＡＣは、それぞれのユニークなＳＩＰ ＵＲＩを用いて、他のＳＩＰＵＡＣから送信されるメソッドを受けることが可能となる。また、登録認証部１３１は、ＲＥＧＩＳＴＥＲメソッドの受信後、送信元のＳＩＰ ＵＡＣが登録可能な端末であるか否かを認証するようにしてもよい。
【００２６】
パケット転送部１３２は、ＳＩＰ ＵＡＣからの接続要求を受け付けて送信相手のＳＩＰＵＡＣにパケットを転送する。このパケット転送部１３２は、例えば、ユーザ端末１１０からコンテンツ提供サーバ１２０宛てに送信されるＩＮＶＩＴＥメソッドを受信し、ヘッダに含まれる送信先アドレスをキーとしてコンテンツ提供サーバ１２０のＩＰアドレスを求め、受信したＩＮＶＩＴＥメソッドをそのＩＰアドレス宛てに転送する。
【００２７】
また、パケット転送部１３２は、例えば、ユーザ端末１１０からコンテンツ提供サーバ１２０宛てに送信されるＳＵＢＳＣＲＩＢＥメソッドを受信し、ヘッダに含まれる送信先アドレスをキーとしてコンテンツ提供サーバ１２０のＩＰアドレスを求め、受信したＳＵＢＳＣＲＩＢＥメソッドをそのＩＰアドレス宛てに転送する。
【００２８】
また、パケット転送部１３２は、ユーザ端末１１０とコンテンツ提供サーバ１２０との間の送受信を監視し、監視情報を監視サーバ１４０に送信する。監視情報は、上述したように、例えば、ユーザ端末１１０からコンテンツ提供サーバ１２０に送信されるＳＩＰメソッドと、それに対してコンテンツ提供サーバ１２０からユーザ端末１１０に送信されるＳＩＰレスポンスの情報等である。この意味で、パケット転送部１３２は監視情報送信部を構成している。
【００２９】
監視サーバ１４０は、端末登録部１４１、監視情報受信部１４２、監視情報記憶部１４３、感情情報処理部１４４および監視情報通知部１４５を有している。端末登録部１４１は、ＳＩＰプロキシサーバ１３０に対し、ＲＥＧＩＳＴＥＲメソッドを用いて、自分の情報を登録する。登録する情報は、例えば、監視サーバ１４０のＳＩＰＵＲＩ、ＩＰアドレス等である。
【００３０】
監視情報受信部１４２は、ＳＩＰプロキシサーバ１３０から送信されてくる監視情報を受信する。監視情報記憶部１４３は、監視情報受信部１４２で受信された監視情報を記憶する。
【００３１】
監視情報処理部１４４は、監視情報記憶部１４３に記憶された監視情報を処理する。例えば、監視情報処理部１４４は、ＩＮＶＩＴＥメソッド、ＳＵＢＳＣＲＩＢＥメソッドに対する成功数、エラー数をそれぞれカウントする。また、例えば、監視情報処理部１４４は、ＩＮＶＩＴＥメソッドに対する成功数およびエラー数から、一定時間毎のコンテンツ提供サーバ１２０の利用者を算出する。監視情報通知部１４５は、監視情報処理部１４４の処理結果を、例えば、ネットワーク１５０を介して、コンテンツ提供サーバ１２０の管理者に通知する。
【００３２】
図３は、図１に示すコンテンツ提供システム１００の処理例を示している。
まず、ステップＳＴ１において、監視サーバ１４０の端末登録部１４１は、自分を登録するためにＳＩＰプロキシサーバ１３０に対してＲＥＧＩＳＴＥＲメソッドを送信する。ＳＩＰプロキシサーバ１３０は、登録認証部１３１により監視サーバ１４０からのＲＥＧＩＳＴＥＲメソッドを受信し、登録可能な端末であることの認証を行った後、登録用データベースに登録する。
【００３３】
次に、ステップＳＴ２において、コンテンツ提供サーバ１２０の端末登録部１２１は、自分を登録するためにＳＩＰプロキシサーバ１３０に対してＲＥＧＩＳＴＥＲメソッドを送信する。ＳＩＰプロキシサーバ１３０は、登録認証部１３１によりコンテンツ提供サーバ１２０からのＲＥＧＩＳＴＥＲメソッドを受信し、登録可能な端末であることの認証を行った後、登録用データベースに登録する。
【００３４】
次に、ステップＳＴ３において、ユーザ端末１１０の端末登録部１１１は、自分を登録するためにＳＩＰプロキシサーバ１３０に対してＲＥＧＩＳＴＥＲメソッドを送信する。ＳＩＰプロキシサーバ１３０は、登録認証部１３１によりユーザ端末１１０からのＲＥＧＩＳＴＥＲメソッドを受信し、登録可能な端末であることの認証を行った後、登録用データベースに登録する。
【００３５】
次に、ステップＳＴ４において、ユーザ端末１１０の接続制御部１１２は、セッション開始リクエストであるＩＮＶＩＴＥメソッドをＳＩＰプロキシサーバ１３０に送信する。そして、ステップＳＴ５において、ＳＩＰプロキシサーバ１３０のパケット転送部１３２は、ユーザ端末１１０からのＩＮＶＩＴＥメソッドを受信し、当該ＩＮＶＩＴＥメソッドをコンテンツ提供サーバ１２０に転送する。コンテンツ提供サーバ１２０の接続制御部１２２は、ＳＩＰプロキシサーバ１３０から転送されてくるＩＮＶＩＴＥメソッドを受信する。
【００３６】
次に、コンテンツ提供サーバ１２０がセッション開始リクエストを受け入れるとき、ステップＳＴ６において、成功（２００ＯＫ）のレスポンスをＳＩＰプロキシサーバ１３０に送信する。そして、ステップＳＴ７において、ＳＩＰプロキシサーバ１３０のパケット転送部１３２は、コンテンツ提供サーバ１２０からの成功（２００ＯＫ）のレスポンスを受信し、当該レスポンスをユーザ端末１１０に転送する。ユーザ端末１１０の接続制御部１１２は、ＳＩＰプロキシサーバ１３０から転送されてくる成功（２００ＯＫ）のレスポンスを受信する。
【００３７】
このようにして、ユーザ端末１１０とコンテンツ提供サーバ１２０との間のセッションが確率した後、例えば、ステップＳＴ８において、コンテンツ提供サーバ１２０からユーザ端末１１０にコンテンツが提供される。
【００３８】
また、ステップＳＴ９において、ＳＩＰプロキシサーバ１３０は、監視サーバ１４０に監視情報（ＯＫ＝成功）を通知する。この監視情報には、メソッドがＩＮＶＩＴＥであること、レスポンスが２００  ＯＫであること、さらにはユーザ端末１１０のＳＩＰＵＲＩ，ＩＰアドレス等が含まれている。
【００３９】
この場合、ＳＩＰプロキシサーバ１３０のパケット転送部１３２は、監視サーバ１４０に監視情報を送る。監視サーバ１４０の監視情報受信部１４２は、ＳＩＰプロキシサーバ１３０から送られてくる監視情報を受信する。そして、監視サーバ１４０の監視情報記憶部１４３は、監視情報受信部１４２で受信された監視情報を記憶する。
【００４０】
一方、コンテンツ提供サーバ１２０がセッション開始リクエストの受け入れができないとき、ステップＳＴ１０において、コンテンツ提供サーバ１２０は、５ｘｘ（サーバエラー）、または６ｘｘ（グローバルエラー）等のエラーのレスポンスをＳＩＰプロキシサーバ１３０に送信する。そして、ステップＳＴ１１において、ＳＩＰプロキシサーバ１３０のパケット転送部１３２は、コンテンツ提供サーバ１２０からのエラーのレスポンスを受信し、当該レスポンスをユーザ端末１１０に転送する。ユーザ端末１１０の接続制御部１１２は、ＳＩＰプロキシサーバ１３０から転送されてくるエラーのレスポンスを受信する。
【００４１】
そして、ステップＳＴ１２において、ＳＩＰプロキシサーバ１３０は、監視サーバ１４０に監視情報（エラー＝失敗）を通知する。この監視情報には、メソッドがＩＮＶＩＴＥであること、レスポンスがエラー（５ｘｘあるいは６ｘｘ）であること、さらにはユーザ端末１１０のＳＩＰＵＲＩ，ＩＰアドレス等が含まれている。
【００４２】
この場合、ＳＩＰプロキシサーバ１３０のパケット転送部１３２は、監視サーバ１４０に監視情報を送る。監視サーバ１４０の監視情報受信部１４２は、ＳＩＰプロキシサーバ１３０から送られてくる監視情報を受信する。そして、監視サーバ１４０の監視情報記憶部１４３は、監視情報受信部１４２で受信された監視情報を記憶する。
【００４３】
図１に示すコンテンツ提供システム１００においては、ユーザ端末１１０とコンテンツ提供サーバ１２０との間の送受信の監視情報が、ＳＩＰプロキシサーバ１３０から監視サーバ１４０に送られて、当該監視サーバ１４０の監視情報記憶部１４３に記憶される。そして、監視情報処理部１４４により、監視情報記憶部１４３に記憶された監視情報が処理される。
【００４４】
例えば、監視情報処理部１４４では、ＩＮＶＩＴＥメソッド、ＳＵＢＳＣＲＩＢＥメソッドに対する成功数、エラー数がそれぞれカウントされる。また、例えば、監視情報処理部１４４では、ＩＮＶＩＴＥメソッドに対する成功数およびエラー数から、一定時間毎のコンテンツ提供サーバ１２０の利用者が算出される。
【００４５】
そして、この監視情報処理部１４４の処理結果は、監視情報通知部１４５により、例えば、ネットワーク１５０を介してコンテンツ提供サーバ１２０の管理者に通知される。したがって、コンテンツ提供サーバ１２０の管理者は、当該監視サーバ１４０から、コンテンツ提供サーバ１２０側に必要なネットワーク帯域、あるいはサーバリソースを求めるための情報を容易に取得できる。
【００４６】
なお、上述実施の形態においては、ＳＩＰプロキシサーバ１３０と監視サーバ１４０とが別個の位置に存在するものを示したが、これらＳＩＰプロキシサーバ１３０および監視サーバ１４０が同じ位置に存在する場合、例えば、同一のコンピュータで構成されている場合も考えられる。
【産業上の利用可能性】
【００４７】
この発明は、コンテンツ提供サーバ側に必要なネットワーク帯域、あるいはサーバリソースを求めるための情報を容易に取得できるものであり、ネットワーク経由でユーザ端末にコンテンツを提供するコンテンツ提供システムに適用できる。
【図面の簡単な説明】
【００４８】
【図１】この発明の実施の形態としてのコンテンツ提供システムの構成例を示すブロック図である。
【図２】ユーザ端末、コンテンツ提供サーバ、ＳＩＰプロキシサーバおよび監視サーバにおいて、この発明に関係する部分の概略構成を示すブロック図である。
【図３】コンテンツ提供システムにおいて行われる処理例を示すシーケンス図である。
【符号の説明】
【００４９】
１００・・・コンテンツ提供システム、１１０・・・ユーザ端末、１１１・・・端末登録部、１１２・・・接続制御部、１２０・・・コンテンツ提供サーバ、１２１・・・端末登録部、１２２・・・接続制御部、１３０・・・ＳＩＰプロキシサーバ、１３１・・・登録認証部、１３２・・・パケット転送部、１４０・・・監視サーバ、１４１・・・端末登録部、１４２・・・監視情報受信部、１４３・・・監視情報記憶部、１４４・・・監視情報処理部、１４５・・・監視情報通知部、１５０・・・ネットワーク
【図１】
0004905325.tif 000002
【図２】
0004905325.tif 000003
【図３】
0004905325.tif 000004